(57)【要約】      （修正有）【課題】食材の取り出しの煩わしさを改善した包装袋を提供する。【解決手段】前面シート１１と背面シート１２とを上縁熱融着部１３、左縁熱融着部１４及び右縁熱融着部１５において接着し、下縁部は開口した袋状としている。前面シート１１と背面シート１２との間には透過性を有する不織布１６を設け、不織布１６によって袋内を第１収納室２１と第２収納室２２とに区画している。【選択図】図１
0003182152.tif 000002
【実用新案登録請求の範囲】
【請求項１】
前面シートと背面シートとが上端部及び両側端部において接着され、下端部は開口した袋状の包装袋において、
前記前面シートと前記背面シートとの間には透過性を有する仕切シートが設けられ、該仕切シートによって第１収納室と第２収納室とに区画されていることを特徴とする包装袋。
【請求項２】
前記仕切シートは、前記前面シートと前記背面シートとの上端部における接着部よりも下端部側において、前記仕切シートの上端部が前記前面シート及び前記背面シートの一方に接着され、前記仕切シートの両側端部が前記前面シート及び前記背面シートの両側端部の接着部に接着されている請求項１に記載の包装袋。
【請求項３】
包装袋の上端部における前記仕切シートが接着されている箇所よりも上端側の位置に、帯状に開封補助部材を設けた請求項２に記載の包装袋。
【請求項４】
前記開封補助部材は、前記仕切シートの上端部から離間して配置されている請求項３に記載の包装袋。
【請求項５】
包装袋の側縁であって、前記開封補助部材の側端に切込みを設けた請求項３又は４に記載の包装袋。
【考案の詳細な説明】
【技術分野】
【０００１】
本考案は、仕切を備えた包装袋に関する。
【背景技術】
【０００２】
従来、袋状に形成された包装袋において、開口部から食品等を充填し、開口部を封止することで充填した食品等を包装する技術が知られている。たとえば、特許文献１には、前面シートと後面シートとを熱融着させることで袋状とした包装袋が開示されている。
【先行技術文献】
【特許文献】
【０００３】
【特許文献１】特開２０１１−２４６１４３号公報
【考案の概要】
【考案が解決しようとする課題】
【０００４】
ところで、特許文献１に示されるような包装袋では、食材に調味料材が加えられた食品を収納する場合もある。この場合、包装袋から食材を取り出すにあたっては、過度に調味料材が出ないようにしなければならず、食材の取り出しに煩わしさがあった。
【０００５】
本考案は、このような事情に鑑みてなされたものであり、その目的は、食品を包装する包装袋において、たとえば、食材に調味料材が加えられた食品を収納する場合であっても、食材の取り出しの煩わしさを改善することにある。
【課題を解決するための手段】
【０００６】
上記課題を解決するための包装袋は、前面シートと背面シートとが上端部及び両側端部において接着され、下端部は開口した袋状の包装袋において、前面シートと背面シートとの間には透過性を有する仕切シートが設けられ、仕切シートによって第１収納室と第２収納室とに区画されている。この構成によれば、仕切シートによって包装袋内が第１収納室と第２収納室とに区画されるため、複数の収納物をそれぞれ異なる収納室に収納することができる。また、仕切シートは透過性を有しているため、たとえば、第１収納室に仕切シートを透過しない第１物品を収納し、第２収納室に仕切シートを透過する第２物品を収納すれば、第２物品を第１物品に対して浸透させることが可能となる。さらには、包装袋から第１物品を取り出す際に、第２物品が過度に出てくることを抑制する。
【０００７】
とくに、上記構成において、仕切シートは、前面シートと背面シートとの上端部における接着部よりも下端部側において、仕切シートの上端部が前面シート及び背面シートの一方に接着され、仕切シートの両側端部が前面シート及び背面シートの両側端部の接着部に接着されているものとすることが好ましい。この構成によれば、第１収納室及び第２収納室のいずれか一方は、その上領域及び両側領域が仕切シートによって封止されることはないものの、第１収納室及び第２収納室のいずれか他方は、その上領域及び両側領域が仕切シートによって封止されるようになる。したがって、第１収納室及び第２収納室のいずれか一方に収納した物品を取り出す際には、第１収納室及び第２収納室のいずれか他方に収納した物品が出てくるのを好適に抑制する。
【０００８】
さらに上記構成において、包装袋の上端部における仕切シートが接着されている箇所よりも上端側の位置に、帯状に開封補助部材を設けることが好ましい。この構成によれば、包装袋の切り口が開封補助部材の帯状の範囲内に形成されるように誘導する。したがって、包装袋の開封時に仕切シートの上端部における接着部分が切られることを抑制する。
【０００９】
さらに上記構成において、開封補助部材は、仕切シートの上端部から離間して配置されていることが好ましい。この構成によれば、仮に、包装袋の切り口が開封補助部材の帯状の範囲から外れたとしても、その切り口がすぐさま仕切シートの上端部に到ることを抑制する。
【００１０】
さらに上記構成において、包装袋の側縁であって、前記開封補助部材の側端に切込みを設けることもできる。この構成によれば、包装袋の切り口の始点を特定し、切り口が開封補助部材の帯状の範囲内から外れることを好適に抑制する。
【考案の効果】
【００１１】
本書に開示する包装袋によれば、食材の取り出しの煩わしさを改善することができる。
【図面の簡単な説明】
【００１２】
【図１】包装袋の一実施の形態を示す斜視図。
【図２】同実施の形態を背面シート方向から見た背面図。
【図３】図２における３−３線断面図であり、（ａ）は下縁部封止前、（ｂ）は下縁部封止後、（ｃ）は包装袋の上端開封後の状態を示す。
【考案を実施するための形態】
【００１３】
以下、本書に開示する包装袋の一実施形態を図１〜図３に従って説明する。
図１及び図２に示すように、前面シート１１と背面シート１２とは、同じ大きさの長方形状に形成されている。前面シート１１と背面シート１２とは、上縁部が接着部としての上縁熱融着部１３において互いに融着されている。前面シート１１と背面シート１２とは、左右の側縁部が接着部としての左縁熱融着部１４及び右縁熱融着部１５において互いに融着されている。前面シート１１と背面シート１２とは、下縁部が融着されることなく開口されている。これら熱融着部によって、前面シート１１と背面シート１２とは袋状をなす。
【００１４】
仕切シートとしての不織布１６は、前面シート１１と背面シート１２との間に挟まれている。不織布１６の幅方向の長さは、前面シート１１及び背面シート１２と同じであり、高さ方向の長さは、前面シート１１及び背面シート１２よりも短い。不織布１６は、左縁熱融着部１４及び右縁熱融着部１５において前面シート１１及び背面シート１２に融着されている。不織布１６は、下縁部が前面シート１１及び背面シート１２の下縁部と揃うように位置決めされている。不織布１６は、上縁部が仕切熱融着部１７において背面シート１２に熱融着されている。仕切熱融着部１７は、上縁熱融着部１３との間に所定の間隔をおいて形成されている。このように設けられた不織布１６によって、包装袋内は、前面シート１１と不織布１６との間に形成される第１収納室２１と、不織布１６と背面シート１２との間に形成される第２収納室２２とに区画される。
【００１５】
図２に示すように、上縁熱融着部１３と仕切熱融着部１７との間の領域であって、前面シート１１及び背面シート１２の外面に、開封補助部材としての帯状の開封補助テープ１８が貼着されている。開封補助テープ１８は、上縁熱融着部１３と所定の間隔Ｓ１をもって離間し、仕切熱融着部１７と所定の間隔Ｓ２をもって離間している。開封補助テープ１８の長さは、前面シート１１及び背面シート１２の幅方向の長さと同じである。開封補助テープ１８は、長さ方向に裂けやすく、幅方向に裂けにくく構成されている。開封補助テープ１８の左右の側縁部には、それぞれ切込み１９が形成されている。
【００１６】
次に、本実施形態の作用について説明する。
図３（ａ）、（ｂ）に示すように、包装袋の下縁の開口から、第１収納室２１と第２収納室２２とのそれぞれに食品を入れて収納する。食品を入れた後、前面シート１１と背面シート１２とは、下縁部が融着されて封止される。第１収納室２１と第２収納室２２とを区画する不織布１６は、透過性を有しているため、第１収納室２１と第２収納室２２との間で食品の浸透が許容される。たとえば、第１収納室２１に肉、魚等の食材を収納し、第２収納室２２に味噌等の調味料材を収納した場合、その調味料材を食材に浸透させることが可能となる。
【００１７】
図２に示すように、包装袋の上側に形成された切込み１９を始点として包装袋を開封する。このとき、切込み１９を始点とする包装袋の切り口は、開封補助テープ１８の帯状の範囲内に誘導されるようにして形成される。また、開封補助テープ１８と仕切熱融着部１７とは所定の間隔Ｓ２をもって離間しているため、切り口が仕切熱融着部１７へ到ることを抑制する。
【００１８】
図３（ｃ）に示すように、包装袋が開封された場合、その開封対象は第１収納室２１となる。第２収納室２２は、不織布１６によって覆われた状態のままで開封されることはない。したがって、第１収納室２１に収納した食品の取り出しは、第２収納室２２に収納した食品が過度に関与することはなく、食品の取り出しの煩わしさが改善される。
【００１９】
次に、本実施形態の効果を列挙する。
（１）包装袋内部が不織布１６によって第１収納室２１と第２収納室２２とに区画されるため、各収納室に異なる食品を別々に収納することができる。
【００２０】
（２）不織布１６は透過性を有しているため、第１収納室２１と第２収納室２２のいずれか一方に収納した食品が、いずれか他方に収納した食品に浸透させることが可能となる。
【００２１】
（３）包装袋の下縁部を封止した後、切込み１９を始点として切り口を形成するようにして包装袋を開封すると、第２収納室２２は開放されない一方、第１収納室２１のみが開放される。第１収納室２１に収納された食品のみを取り出すことが可能となる。
【００２２】
（４）開封補助テープ１８によって、包装袋を開封する際の切り口が開封補助テープ１８の帯状の範囲内に形成されるよう誘導される。開封補助テープ１８が包装袋の一端から他端まで延設されているため、切り口が端から端まで誘導され、開封が容易となるとともに、開け損じることを抑制できる。
【００２３】
（５）開封補助テープ１８と不織布１６との間に形成された間隔Ｓ２により、包装袋の開封に伴って切り口が開封補助テープ１８の範囲内から外れたとしても、切り口がすぐさま不織布１６の上端部に到り不織布１６が損傷することを抑制できる。また、この効果を好適に確保するためには、間隔Ｓ２が間隔Ｓ１よりも大きくなるように開封補助テープ１８が配置されることが好ましい。
【００２４】
（６）開封補助テープ１８の左右の側縁部には切込み１９が設けられているため、包装袋を開封する際の切り口の支点が特定される。このため、切り口が開封補助テープ１８の帯状の範囲内から外れることを好適に抑制できる。また、開封がさらに容易となる。
【００２５】
なお、上記実施形態の構成は、次のように変更して上記実施形態と同様の効果を得ることも可能である。また、以下の変更例は適宜組み合わせて実施することも可能である。
・前面シート１１及び背面シート１２は、同じ大きさの長方形状としたが、これに限定されない。たとえば、正方形状でもよい。また、それぞれの大きさが異なってもよく、前面シート１１と背面シート１２との融着により袋状を形成できればよい。
【００２６】
・前面シート１１、背面シート１２及び不織布１６は、熱を加えて接着することによって袋状としたが、これに限定されない。たとえば、接着剤を用いて接着することによって袋状としてもよい。
【００２７】
・仕切熱融着部１７と開封補助テープ１８との間に、包装袋を再封可能なファスナー等を設け、包装袋を開閉自在としてもよい。
・開封補助テープ１８の左右の側縁部に切込み１９を設けたが、片方の側縁部のみに設けてもよい。さらに、形状は一直線状の切込みに限定されず、開口を容易に行える形状であればよい。たとえば、Ｖ字状、Ｕ字状の切込み等を採用することが考えられる。また、切込み１９を設けなくてもよい。
【００２８】
・開封補助テープ１８は、不織布１６の上端部と接するように配置されてもよい。
・開封補助テープ１８は、包装袋の外面に貼着したが、内面に貼着してもよい。また、開封補助テープ１８は、前面シート１１及び背面シート１２の幅方向の長さと同じ長さとしたが、前面シート１１及び背面シート１２の幅方向の長さより短くてもよい。また、開封補助テープ１８を設けなくてもよし、前面シート１１及び背面シート１２の一方に設けるようにしてもよい。
【００２９】
・上記実施形態では、開封補助部材として開封補助テープ１８を採用したが、これに限定されない。たとえば、前面シート１１や背面シート１２そのものに薄肉領域を形成したり、半切込みを形成したりして、開封補助部材として構成してもよい。
【００３０】
・不織布１６の上縁部は、背面シート１２に融着したが、これに代えて前面シート１１に融着してもよい。
・不織布１６は１枚のみ設けているが、複数枚設けてもよい。たとえば２枚設けた場合は、第２収納室２２が２つになり、各収納室に異なる内容物を収納することができる。
【００３１】
・第１収納室２１と第２収納室２２とを区画する仕切シートは不織布１６でなくてもよい。たとえば、透過性を有するように孔や切れ目を形成したシートでもよい。
・不織布１６の幅方向の長さは、前面シート１１や背面シート１２の幅方向の長さよりも短くしてもよい。この場合、不織布１６の左右の側縁部は、上縁部と同様に、前面シート１１及び背面シート１２の一方に接着されることになる。
【００３２】
・上記実施形態では、仕切シートとして不織布１６を採用したが、仕切シートとしては少なくとも一部に透過性を有するように形成されていれば、それでよい。
・第１収納室２１及び第２収納室２２に収納されるものは、食品に限定されることはない。
【００３３】
上記記載から把握できる技術的思想を列挙する。
・前記仕切シートは、前記前面シートと前記背面シートとの上端部における接着部よりも下端部側において、前記仕切シートの上端部及び両側端部が前記前面シート及び前記背面シートの一方に接着されている包装袋。
【００３４】
・前記開封補助部材より下端側であって、前記仕切シートが接着されている箇所よりも上端側に、包装袋を再封可能なファスナー部材を設けた包装袋。
【符号の説明】
【００３５】
１１…前面シート、１２…背面シート、１３…上縁熱融着部、１４…左縁熱融着部、１５…右縁熱融着部、１６…不織布、１８…開封補助テープ、１９…切込み、２１…第１収納室、２２…第２収納室。
【図１】
0003182152.tif 000003
【図２】
0003182152.tif 000004
【図３】
0003182152.tif 000005